(57)【要約】番号による検索方法および番号による検索機能を含む装置が開示される。この方法は少なくとも一つの数字または数字とワイルドカードの列を受信し、装置内に格納されたあらゆる番号を検索して少なくとも一つの数字または数字とワイルドカードの列に合致するあらゆる格納された番号を含む整合リストを形成することを含んでいる。
2005539310.tif 000002
【特許請求の範囲】
【請求項１】
番号による検索方法であって、
少なくとも一つの数字または数字とワイルドカードの列を受信するステップと、装置内に格納されたあらゆる番号を検索して少なくとも一つの数字または数字とワイルドカードの列に合致するあらゆる格納された番号を含む整合リストを形成するステップと、を含む方法。
【請求項２】
請求項１に記載の方法であって、さらに、整合リストを表示するステップを含む方法。
【請求項３】
請求項１に記載の装置であって、さらに、
少なくとも一つの数字または数字とワイルドカードの列に合致する格納された番号がない、
表示された番号が選択されている、
ユーザによるアクションがないまま予め定められた時間が経過している、
予め定められた数の数字または数字とワイルドカードが入力されている、および、
ユーザが検索を中断している、
ことの一つに応答して検索を終了させるステップを含む方法。
【請求項４】
請求項１に記載の方法であって、さらに、少なくとも一つの数字または数字とワイルドカードの列に合致するあらゆる格納された番号を表示する前にインテリジェント予整合を実施するステップを含む方法。
【請求項５】
請求項１に記載の方法であって、さらに、予め定められた順序で整合リストを表示するステップを含む方法。
【請求項６】
請求項１に記載の方法であって、さらに、あらゆる格納された番号内の少なくとも一つの数字または数字とワイルドカードの位置に対応する順序で整合リストを表示するステップを含む方法。
【請求項７】
請求項１に記載の方法であって、さらに、少なくとも一つの数字または数字とワイルドカードの列があらゆる格納された番号内で左から右へ配置される順序で整合リストを表示するステップを含む方法。
【請求項８】
請求項１に記載の方法であって、さらに、同じ電話番号のバリエーションである整合リスト内の一群の格納された番号の中の一つの格納された番号しか表示しないステップを含む方法。
【請求項９】
請求項１に記載の方法であって、検索は少なくとも一部呼リスト、不履行呼リストおよび電話帳を検索して遂行される方法。
【請求項１０】
請求項１に記載の方法であって、呼リスト、不履行呼リストおよび電話帳は予め定められた順序で検索される方法。
【請求項１１】
請求項１に記載の方法であって、さらに、少なくとも一つの数字または数字とワイルドカードの列を音声認識により入力するステップを含む方法。
【請求項１２】
請求項１に記載の方法であって、さらに、番号による検索機能を音声起動によりメニューから選択するステップを含む方法。
【請求項１３】
番号による検索方法であって、
第１のエントリを受信するステップと、
第１のエントリが数字であれば、あらゆる格納された番号を検索していずれかの格納された番号を含む整合リストを形成するステップであって、数字列内の第１の位置およびより高順位位置の数字が各格納された番号を形成するステップと、
第１のエントリがワイルドカードであれば、少なくとも一つの他のエントリを受信するステップと、
少なくとも一つの他のエントリが数字または少なくとも一つのワイルドカードと数字であれば、あらゆる格納された番号を検索していずれかの格納された番号を含む整合リストを形成するステップであって、ワイルドカードエントリに対応する任意の位置を除き、数字列内の第２の位置およびより高順位位置の少なくとも一つの他のエントリの数字が各格納された番号を形成するステップと、
を含む方法。
【請求項１４】
請求項１３に記載の方法であって、さらに、整合リストを表示するステップを含む方法。
【請求項１５】
請求項１３に記載の方法であって、さらに、
付加エントリを受信するステップと、
数字が受信されるまで付加エントリの受信を繰り返すステップと、
入力された数字とワイルドカードの列に合致する番号について整合リストを検索するステップと、
を含む方法。
【請求項１６】
請求項１５に記載の方法であって、さらに、前の整合リストからの入力された数字とワイルドカードの列と合致する任意の番号を含む新しい整合リストを表示するステップを含む方法。
【請求項１７】
請求項１５に記載の方法であって、さらに、予め定められた数の数字とワイルドカードが入力されるまで付加エントリを受信するステップを含む方法。
【請求項１８】
請求項１５に記載の方法であって、さらに、
予め定められた信号を受信する、
整合リスト内の任意の番号との合致に失敗する、
予め定められた数の数字とワイルドカードを受信する、
の中の一つの発生に応答して方法を終了させるステップを含む方法。
【請求項１９】
請求項１８に記載の方法であって、予め定められた信号の受信は、
整合リストから番号を選択する、および、
クリアまたは終了信号を受信する、
ことの一方を含む方法。
【請求項２０】
番号による検索機能を含む装置であって、
少なくとも一つの数字または数字とワイルドカードの列を受信するユーザインターフェイスと、
複数の番号を格納する少なくとも一つのデータ記憶装置と、
少なくとも一つの数字または数字とワイルドカードの列の受信に応答してあらゆる格納された番号を検索しかつ少なくとも一つの数字または数字とワイルドカードの列に合致するあらゆる格納された番号に応答して整合リストを形成するプロセッサと、
を含む装置。
【請求項２１】
請求項２０に記載の装置であって、さらに、整合リストを表示するディスプレイを含む装置。
【請求項２２】
請求項２０に記載の装置であって、さらに、同じ番号のバリエーションである整合リスト内の一群の格納された番号の中の一つの格納された番号しか表示しないインテリジェント予整合機能を含む装置。
【請求項２３】
請求項２０に記載の装置であって、さらに、
少なくとも一つの数字または数字とワイルドカードの列に合致する格納された番号がない、
表示された番号が選択されている、
ユーザからの入力がないまま少なくとも一つの数字または数字とワイルドカードの列に合致するあらゆる格納された番号を表示してから予め定められた時間が経過している、
予め定められた数の数字または数字とワイルドカードが入力されている、および、
ユーザが検索を中断している、
ことの一つに応答してプロセッサにより検索を終了させる機能を含む装置。
【請求項２４】
請求項２０に記載の装置であって、少なくとも一つのデータ記憶装置は呼リスト、不履行呼リストおよび電話帳の少なくとも一つを含む装置。
【請求項２５】
少なくとも一つの数字または数字とワイルドカードの列を受信するステップと、
装置内に格納されたあらゆる番号を検索して少なくとも一つの数字または数字とワイルドカードの列に合致するあらゆる格納された番号を含む整合リストを形成するステップと、
を含む方法を実施するコンピュータ実行可能命令を有するコンピュータ読取可能媒体。
【請求項２６】
さらに、整合リストを表示するステップを含む、請求項２５記載の方法を実施するコンピュータ実行可能命令を有するコンピュータ読取可能媒体。
【請求項２７】
さらに、少なくとも一つの数字または数字とワイルドカードの列に合致するあらゆる格納された番号を表示する前にインテリジェント予整合を実施するステップを含む、請求項２６に記載の方法を実施するコンピュータ実行可能命令を有するコンピュータ読取可能媒体。
【発明の詳細な説明】
【技術分野】
【０００１】
（背景技術）
本発明は通信装置、コンピュータ装置等に関し、特に、番号による検索方法および番号による検索機能を含む装置に関する。
【背景技術】
【０００２】
電話番号は一般的に関連する名称や識別子と共に通信装置等内に格納され、また通常は、電話番号は関連する名称、識別子、または名称もしくは識別子の一部によってしか検索することができない。ある状況の元で、ユーザは番号に関連する名称や識別子を思い出せないが電話番号の一部だけは憶えていて電話をかけるための完全な番号をつきとめたい、あるいは他の理由で番号をつきとめたいことがある。また、着呼番号リスト（呼リスト）、履行されなかった呼のリスト（不履行呼リスト）等の電話番号しか通信装置により格納されない状況もある。このような状況下では、格納された番号にいかなる名称や識別子も関連付けられていないため、ユーザは電話番号または番号の一部でしか検索することができない。ユーザは名称や識別子が関連付けられた番号を格納したり電話をかけたりしたいことがあり、あるいはどのような理由であれ番号を探す必要があるがその一部しか憶えていないことがある。
【発明の開示】
【発明が解決しようとする課題】
【０００３】
それゆえ、ユーザが番号の一部だけで格納された電話番号等を検索しなければならない非常に多くの理由がある。したがって、番号またはその一部により電話番号等を検索する方法を提供することが必要とされている。さらに、番号またはその一部により電話番号等を検索することができる通信装置を提供することが必要とされている。
【課題を解決するための手段】
【０００４】
（発明の開示）
本発明の一実施例では、番号による検索方法は少なくとも一つの数字または数字とワイルドカードの列の受信を含んでいる。次に、装置内に格納されたあらゆる番号を検索して少なくとも一つの数字または数字とワイルドカードの列に合致するあらゆる格納された番号を含む整合リストを形成することができる。
【０００５】
本発明のもう一つの実施例では、番号による検索方法は第１のエントリの受信を含んでいる。第１のエントリが数字であれば、あらゆる格納された番号を検索していずれかの格納された番号を含む整合リストを形成することができ、数字列内の第１位置及びより高順位位置内の数字が格納された各番号を形成する。第１のエントリがワイルドカードであれば、少なくとも一つの他のエントリを受信することができる。少なくとも一つの他のエントリが数字または少なくとも一つのワイルドカードと数字であれば、あらゆる格納された番号を検索していずれかの格納された番号を含む整合リストを形成することができ、ワイルドカードエントリに対応する任意の位置を除き、数字列内の第２位置およびより高順位位置内の数字が格納された各番号を形成する。
【０００６】
本発明のもう一つの実施例では、番号による検索機能を含む装置は少なくとも一つの数字または数字とワイルドカードの列を受信するオペレータまたはユーザインターフェイスおよび複数の番号を格納する少なくとも一つのデータ記憶装置を有する。少なくとも一つの数字または数字とワイルドカードの列を受信するユーザインターフェイスに応答して複数の格納された番号を検索するプロセッサを設けることができる。少なくとも一つの数字または数字とワイルドカードの列に合致するあらゆる格納された番号に応答して整合リストを形成することができる。
【０００７】
本発明のもう一つの実施例は、ある方法を実施するコンピュータ実行可能命令を有するコンピュータ読取可能媒体である。この方法は少なくとも一つの数字または数字とワイルドカードの列の受信を含むことができる。装置内に格納されたあらゆる番号を検索して少なくとも一つの数字または数字とワイルドカードの列に合致するあらゆる格納された番号を含む整合リストを形成することができる。
【実施例】
【０００８】
（発明を実施するための最適な方法）
図１は通信装置１００の一例を示す。通信装置１００はハウジング１０２を有する。液晶ディスプレイ（ＬＣＤ）、発光ダイオード（ＬＥＤ）パネル等のディスプレイ１０４をハウジング１０２内の開口に挿入して、テキスト、数字、文字、またはグラフィカルユーザインターフェイス（ＧＵＩ）１０６等の形式でユーザやオペレータに情報を提供することができる。ＧＵＩ１０６は語、数字、または他の文字だけでなく画像もディスプレイ画面１０４上に有してユーザやオペレータに情報を提供することができるプログラムインターフェイスとすることができる。このタイプのインターフェイスは通信装置１００のプログラミングおよび使用をより容易にするディスプレイのグラフィック能力を利用する。ＧＵＩ１０６は電話番号、名称、電子メールアドレス、等のネットワーク識別子を含む情報をプログラミングして通信装置１００へ入力するのに使用することができる。しかしながら、本発明は特定の一つの情報入力方法および手段に限定されるものではない。
【０００９】
通信装置１００は電話番号および通信装置１００の動作を制御するコマンドの入力を容易にするアルファニューメリックキーパッド１０８および機能ボタン１０９も含んでいる。機能ボタン１０９はスクロールアップボタン１１０およびスクロールダウンボタン１１２、エンター/ＹＥＳボタン１１４、通話/呼出ボタン１１６、終了ボタン１１８、およびクリア（Ｃ）ボタン１２０を含むことができる。スクロールアップボタン１１０およびスクロールダウンボタン１１２はディスプレイ１０４またはＧＵＩ１０６上に表示することができるさまざまなメニュー中を検索するのを容易にする。エンター/ＹＥＳボタン１１４は表示されたメニューからさまざまなアイテムを選択して通信装置１００の動作を制御するのに使用することができる。通話/呼出ボタン１１６は着呼に応答したりキーパッド１０８を使用して電話番号を入力した後で発呼を開始するのに使用することができる。終了ボタン１１８は電話呼出等の通信装置１００の動作を停止するのに使用することができる。クリアボタン１２０はキーパッド１０８から入力されるエントリをクリアしたり通信装置１００により実施される操作を中断または停止させるのに使用することができる。図１に示す機能ボタン１０９はこのようなボタンのさまざまなタイプの名称および機能の単なる例にすぎず、産業上の設計毎に異なることがある。たとえば、ソフトキーを使用してボタン１０９のいくつかの機能を実現することができる。したがって、本発明は図１に示す特定の機能ボタン１０９により限定されるものではない。
【００１０】
ハウジング１０２は後ろでハウジング１０２内にスピーカ（図１には図示せず）を配置することができるスピーカグリル１２２および後ろでハウジング１０２内にマイクロホン（やはり、図１には図示せず）を配置することができるマイクロホングリル１２４も有することができる。本発明の番号による検索方法はマイクロホンを使用する音声活性化により活性化すなわちイネーブルすることができる。
【００１１】
図１は移動端末等の通信装置１００の典型的なレイアウトの例を示す。しかしながら、本発明は特定タイプの通信装置や設計に限定されるものではない。
【００１２】
図２は図１の通信装置１００と同じとすることができる典型的な通信装置２００の内部コンポーネントを表すブロック図である。通信装置２００はコードレス電話機、セルラー電話機、パーソナルデジタルアシスタント（ＰＤＡ）、コミュニケータ、コンピュータ装置等とすることができ、アンプス（Advanced Mobile Phone Service：ＡＭＰＳ），ディジタルアンプス（Digital Advanced Mobile Phone Service：Ｄ-ＡＭＰＳ），Global System for Mobile Communications（ＧＳＭ），符号分割多重アクセス（Code Division Multiple Access：ＣＤＭＡ）等の特定の通信標準に特有のものではない。図２に示すレイアウトは本発明を説明するのが目的であり、本発明は特定の設計に限定されるものではない。通信装置２００は電話呼出の開始および実施等を含む通信装置２００の操作制御を容易にするオペレータまたはユーザインターフェイス２０２を含むことができる。ユーザインターフェイス２０２は通信装置２００の状態および操作に関する映像信号を加入者すなわちユーザに提供する、図１のディスプレイ１０４と同様な、ディスプレイ２０４を含むことができる。ユーザインターフェイス２０２は、図１のキーパッド１０８および機能ボタン１０９と同様な、キーパッド２０６および機能ボタン２０８も含むことができる。キーパッド２０６および機能ボタン２０８によりユーザは通信装置２００へコマンドを伝えて電話番号をダイヤルし、呼を開始および終了しかつ通信装置２００の操作を制御することができる。
【００１３】
ディスプレイ２０４、キーパッド２０６および機能ボタン２０８は主プロセッサおよび論理ユニット２１２に接続することができる。主プロセッサおよび論理ユニット２１２はマイクロプロセッサ等とすることができる。主プロセッサおよび論理ユニット２１２は制御信号を符号化および復号しかつ呼処理手順を実施する。
【００１４】
ユーザインターフェイス２０２はマイクロプロセッサ２１６およびスピーカ２１８も含むことができる。マイクロホン２１６はユーザから音響信号を受信して電気信号へ変換する。マイクロホン２１６は主プロセッサおよび論理ユニット２１２に接続することができる。主プロセッサおよび論理ユニット２１２はそこからのベースバンド信号を無線周波数（ＲＦ）信号へ変換する送信機２２０に接続することができる。送信機２２０はＲＦ信号を無線送信するアンテナアセンブリ２２４に接続することができる。
【００１５】
アンテナアセンブリ２２４はＲＦ信号を無線受信することができかつ受信機２２６に接続してＲＦ信号をベースバンド信号へ変換することができる。ベースバンド信号は主プロセッサおよび論理ユニット２１２に加えることができる。主プロセッサおよび論理ユニット２１２からの信号はスピーカ２１８に加えることができ、スピーカ２１８は主プロセッサおよび論理ユニット２１２からの電気信号をユーザが理解できるオーディオ信号へ変換することができる。
【００１６】
電源２２８を主プロセッサおよび論理ユニット２１２に接続して通信装置２００の動作電力を供給することができる。通信装置２００はデータ記憶装置２３０および加入者アイデンティティモジュール（ＳＩＭ）２３２、スマートカード等も含むことができる。データ記憶装置２３０は通信装置２００により呼び出されている電話番号のリスト、通信装置２００により履行すなわち応答されていない電話番号、またはユーザにより入力され格納されている電話番号（電話帳等）を格納することができる。ＳＩＭ２３２は呼リスト、電話帳、不履行呼リスト等を含む加入者関連情報を含むことができる。
【００１７】
図３は図１および２の通信装置１００および２００内で実現することができる本発明の実施例に従った番号による検索方法３００のフロー図である。ブロック３０２において、番号による検索プロセスを選択することができる。例として、ユーザは図１の一つ以上の機能ボタン１０９を操作してディスプレイ１０４内にメニューを表示することができる。スクロールボタン１１０または１１２を使用して番号による検索オプションを際立たせたり指示することができ、かつエンター/ＹＥＳボタン１１４等を使用して番号による検索オプションを実際に選択または可能とすることができる。別の実施例では、番号による検索プロセスまたは機能を音声活性化または類似の手段により選択することができる。通信装置１００または２００が番号による検索を可能とされた後で、ブロック３０４において第１のエントリを通信装置１００または２００により受信することができる。第１のエントリはキーパッド１０８（図１）から入力することができ、あるいは音声認識等により入力することができる。第１のエントリは数字またはワイルドカード（ＷＣ）とすることができる。ワイルドカードは番号による検索プロセスにおいて０-９の数字により占有されるプレースホルダとして使用することができる。ブロック３０６において、方法３００は数字またはワイルドカードがブロック３０４において第１のエントリとして受信されたかどうかを確認する。第１のエントリが数字であれば、方法３００はブロック３０８へ進み整合リストを形成する検索が行われる。検索はブロック３０４において受信された数字が第１の位置にある通信装置１００または２００内に格納された、電話番号等の、全ての番号を含むことができる。第１の位置は通信装置１００または２００内に格納することができる各番号を規定する数字列内の最左位置として定義することができる。たとえば、番号“765-4321”において、第１位置の数字は“７”である。第２の位置は数字列内の左から右へ向かう次の数字として定義することができる。この例では、第２位置の数字は“６”である。より高い位置は通信装置１００または２００内に格納することができる番号内のさらに左から右へ向かう数字列内の後続位置として定義することができる。この例では、数“５,４,３,２および１”は左から右へ向かって前進的により高い位置にある。あるいは、各格納された番号を形成する数字列を異なる順序で検索することができる、たとえば、右から左へ検索して第１の位置を最右位置として定義しより高い位置を右から左への順序とすることができる。
【００１８】
検索を実施する時に、通信装置内に電話番号を格納することができる多数の場所で呼リスト、不履行呼リスト、電話帳等を検索することができる。呼リスト、不履行呼リスト、電話帳等はデータ記憶装置２３０、電話メモリ２１４、ＳＩＭ２３２（図２）等のデータ記憶装置内に格納することができる。
【００１９】
ブロック３０４においてワイルドカードが受信されると、判断ブロック３０６は方法３００をブロック３１０へ向けてもう一つのエントリを受信することができる。本発明の一実施例では、予め定められた時間内にもう一つのエントリが行われなければ、方法３００は時間切れとなって終了することができる。ブロック３１２において、ブロック３１０で受信した他方のエントリが数字であるかワイルドカードであるかが確認される。ワイルドカードが受信される場合、方法はブロック３１０へ戻ってもう一つのエントリを受信することができる。ブロック３１０において数字が受信される場合、方法３００はブロック３１２から３１４へ進むことができる。ブロック３１４において、格納された全ての番号の検索を実施して整合リストを形成することができ、ブロック３０４またはブロック３１０において入力された数字は、ワイルドカードエントリに対応する任意の位置を除いて、格納された各番号を定義または形成する数字列内の第２位置およびより高い位置にある。検索は、呼リスト、不履行呼リスト、電話帳等の電話番号を格納することができる通信装置２００の異なるデータ記憶装置、メモリまたはメモリ内のエリアを検索することにより少なくとも一部遂行することができる。異なるメモリまたはエリアの検索は前記した方法または順序、たとえば、不履行呼リスト続いて呼リスト次に電話帳を検索して実施することができる。
【００２０】
本発明の実施例では、ブロック３０８および３１４における検索は、同じ電話番号の多数の格納されたバリエーションが整合リストに一回しか入力されない、インテリジェント予整合プロセスを含むことができる。たとえば、765-4321への呼出しは、1-919-765-4321,919-765-432または765-4321等、国コードまたは地域コードまたはその両方を含んで通信装置２００内に格納することができる。最後の４桁に異なるローカルエリアプレフィクスが付いて現れたり最後の７桁に異なる地域コードまたは国コードが付いて現れることが非常に稀であると仮定すると、同じ電話番号のこれらのバリエーションは整合されて同じ番号として解釈することができ、整合リストには一つのエントリしか載らない。あるいは、同じ番号のバリエーションのひとつの番号だけが通信装置１００または２００内に格納され通信装置の記憶容量を節約するように予整合プロセスを使用することができる。予整合プロセスは任意タイプの重み付け呼リストを生成する目的に使用することもできる。たとえば、頻繁に呼び出される番号は特別な場所に格納したり頻度に従って任意の呼リストに載せることができる。
【００２１】
ブロック３１６において、あらゆる格納された番号が整合リストを形成するブロック３０８および３１４における検索と整合したかを確認することができる。どの番号も整合しなければ、プロセスはブロック３１８で終了することができる。整合が見つかれば、ブロック３２０において整合リストを表示することができる。整合リストは予め定められた順序で表示することができる。たとえば、整合リストは格納された番号内の検索された数字の位置に対応する順序で左から右、右から左または所望番号の識別の容易さを促進する他の順序で表示することができる。ブロック３２２において整合リスト内の番号がユーザにより選択されたら、ブロック３２４において方法３００を終了することができる。整合する番号が選択されなければ、ブロック３２６において付加エントリを受信することができる（図３Ｂ）。ブロック３２８において、受信した数字またはワイルドカードの量を決定することができる。この量が、完全な電話番号に対する十分な数字およびワイルドカード等の、予め定められた数に等しければ、可能な格納された番号の全てが検索されておりかつ任意の整合が整合リスト内に表示されているため、この方法はブロック３３０で終了することができる。数字またはワイルドカードの量が予め定められた数よりも少なければ、ブロック３３２において最後のエントリが数字であったかワイルドカードであったかを決定することができる。ブロック３２６においてワイルドカードが入力されておれば、方法３００は付加エントリに対してブロック３２６へ戻ることができる。ブロック３２６において数字が入力されておれば、方法はブロック３３４へ進むことができる。ブロック３３４において、入力された数字とワイルドカードの列と整合するあらゆる番号について現在の整合リストを検索して新しい整合リストを形成することができる。次に、方法３００はブロック３１６へ戻ってブロック３３４の検索において入力された列にあらゆる番号が整合したかを決定して新しい整合リストを形成することができる。整合が見つからなければ、方法３００はブロック３１８において終了することができる。一つ以上の整合が見つかれば、ブロック３２０において新しい整合リストを表示することができ、方法３００は図３に示し前記したように進むことができる。
【００２２】
格納されたどの番号も少なくとも一つの数字または数字とワイルドカードの列と整合しない（ブロック３１８）、表示された番号がユーザにより選択される（ブロック３２４）、予め定められた数の数字または数字とワイルドカードが受信されている（ブロック３３０）、ユーザからのアクションがないまま予め定められた時間が経過している、または図１のＣボタン１２０等のクリアボタン等を押すことによりユーザが番号による検索方法３００を中断する、または他の予め定められた信号が通信装置２００により受信される場合に、番号による検索方法３００は終了することができる。
【００２３】
この方法３００はそれを実施するコンピュータ実行可能命令を有する、メモリ２１４等の、コンピュータ読取可能媒体または電子的に読取可能な媒体内に実現することができる。コンピュータ読取可能媒体はフラッシュメモリ、フロッピー（登録商標）ディスク、コンパクトディスクリードオンリーメモリ（ＣＤ-ＲＯＭ）、非揮発性ＲＯＭ、ランダムアクセスメモリ（ＲＡＭ）等の任意タイプのメモリを含むことができる。
【００２４】
特定の実施例について例示し説明してきたが、当業者ならば同じ目的を達成するように計算される任意の構成を図示した特定の実施例と置換することができ、本発明は他の環境において他の応用を有することがお判りであろう。本出願は本発明の任意の適応またはバリエーションを包含するものとする。特許請求の範囲は本発明の範囲を決してここに記載された特定の実施例に限定するものではない。
【図面の簡単な説明】
【００２５】
【図１】通信装置の例を示す図である。
【図２】典型的な通信装置の内部コンポーネントを表すブロック図である。
【図３Ａ】本発明の一実施例に従った番号による検索方法のフロー図である。
【図３Ｂ】本発明の一実施例に従った番号による検索方法のフロー図である。
【図１】
2005539310.tif 000003
【図２】
2005539310.tif 000004
【図３Ａ】
2005539310.tif 000005
【図３Ｂ】
2005539310.tif 000006
【手続補正書】
【提出日】平成17年3月17日(2005.3.17)
【手続補正１】
【補正対象書類名】特許請求の範囲
【補正対象項目名】全文
【補正方法】変更
【補正の内容】
【特許請求の範囲】
【請求項１】
番号による検索方法であって、
数字とワイルドカードの列を受信するステップと、装置内に格納されたあらゆる番号を検索して数字とワイルドカードの列に合致するあらゆる格納された番号を含む整合リストを形成するステップとを含み、各ワイルドカードはプレースホルダであり数字とワイルドカードの列内の各ワイルドカードの位置に対応する格納された番号内の任意の数字に合致する方法。
【請求項２】
請求項１に記載の方法であって、さらに、整合リストを表示するステップを含む方法。
【請求項３】
請求項１に記載の装置であって、さらに、
数字とワイルドカードの列に合致する格納された番号がない、
表示された番号が選択されている、
ユーザによるアクションがないまま予め定められた時間が経過している、
予め定められた数の数字または数字とワイルドカードが入力されている、および、
ユーザが検索を中断している、
ことの一つに応答して検索を終了させるステップを含む方法。
【請求項４】
請求項１に記載の方法であって、さらに、数字とワイルドカードの列に合致するあらゆる格納された番号を表示する前にインテリジェント予整合を実施するステップを含む方法。
【請求項５】
請求項１に記載の方法であって、さらに、予め定められた順序で整合リストを表示するステップを含む方法。
【請求項６】
請求項１に記載の方法であって、さらに、あらゆる格納された番号内の数字とワイルドカードの位置に対応する順序で整合リストを表示するステップを含む方法。
【請求項７】
請求項１に記載の方法であって、さらに、数字とワイルドカードの列があらゆる格納された番号内で左から右へ配置される順序で整合リストを表示するステップを含む方法。
【請求項８】
請求項１に記載の方法であって、さらに、同じ電話番号のバリエーションである整合リスト内の一群の格納された番号の中の一つの格納された番号しか表示しないステップを含む方法。
【請求項９】
請求項１に記載の方法であって、検索は少なくとも一部呼リスト、不履行呼リストおよび電話帳を検索して遂行される方法。
【請求項１０】
請求項１に記載の方法であって、呼リスト、不履行呼リストおよび電話帳は予め定められた順序で検索される方法。
【請求項１１】
請求項１に記載の方法であって、さらに、数字とワイルドカードの列を音声認識により入力するステップを含む方法。
【請求項１２】
請求項１に記載の方法であって、さらに、番号による検索機能を音声起動によりメニューから選択するステップを含む方法。
【請求項１３】
番号による検索方法であって、
第１のエントリを受信するステップと、
第１のエントリが数字であれば、あらゆる格納された番号を検索していずれかの格納された番号を含む整合リストを形成するステップであって、数字列内の第１の位置およびより高順位位置の数字が各格納された番号を形成するステップと、
第１のエントリがワイルドカードであれば、少なくとも一つの他のエントリを受信するステップと、
少なくとも一つの他のエントリが数字または少なくとも一つのワイルドカードと数字であれば、あらゆる格納された番号を検索していずれかの格納された番号を含む整合リストを形成するステップであって、ワイルドカードエントリに対応する任意の位置を除き、数字列内の第２の位置およびより高順位位置の少なくとも一つの他のエントリの数字が各格納された番号を形成するステップと、
インテリジェント前整合プロセスを実施するステップと、
を含む方法。
【請求項１４】
請求項１３に記載の方法であって、さらに、整合リストを表示するステップを含む方法。
【請求項１５】
請求項１３に記載の方法であって、さらに、
付加エントリを受信するステップと、
数字が受信されるまで付加エントリの受信を繰り返すステップと、
入力された数字とワイルドカードの列に合致する番号について整合リストを検索するステップと、
を含む方法。
【請求項１６】
請求項１５に記載の方法であって、さらに、前の整合リストからの入力された数字とワイルドカードの列と合致する任意の番号を含む新しい整合リストを表示するステップを含む方法。
【請求項１７】
請求項１５に記載の方法であって、さらに、予め定められた数の数字とワイルドカードが入力されるまで付加エントリを受信するステップを含む方法。
【請求項１８】
請求項１５に記載の方法であって、さらに、
予め定められた信号を受信する、
整合リスト内の任意の番号との合致に失敗する、
予め定められた数の数字とワイルドカードを受信する、
の中の一つの発生に応答して方法を終了させるステップを含む方法。
【請求項１９】
請求項１８に記載の方法であって、予め定められた信号の受信は、
整合リストから番号を選択する、および、
クリアまたは終了信号を受信する、
ことの一方を含む方法。
【請求項２０】
番号による検索機能を含む装置であって、
数字とワイルドカードの列を受信するユーザインターフェイスと、
複数の番号を格納する少なくとも一つのデータ記憶装置と、
数字とワイルドカードの列の受信に応答してあらゆる格納された番号を検索しかつ数字とワイルドカードの列に合致するあらゆる格納された番号に応答して整合リストを形成するプロセッサとを含み、各ワイルドカードはプレースホルダであり数字とワイルドカードの列内の各ワイルドカードの位置に対応する格納された番号内の任意の数字に合致する装置。
【請求項２１】
請求項２０に記載の装置であって、さらに、整合リストを表示するディスプレイを含む装置。
【請求項２２】
請求項２０に記載の装置であって、さらに、同じ番号のバリエーションである整合リスト内の一群の格納された番号の中の一つの格納された番号しか表示しないインテリジェント前整合機能を含む装置。
【請求項２３】
請求項２０に記載の装置であって、さらに、
数字とワイルドカードの列に合致する格納された番号がない、
表示された番号が選択されている、
ユーザからの入力がないまま数字とワイルドカードの列に合致するあらゆる格納された番号を表示してから予め定められた時間が経過している、
予め定められた数の数字または数字とワイルドカードが入力されている、および、
ユーザが検索を中断している、
ことの一つに応答してプロセッサによる検索を終了する機能を含む装置。
【請求項２４】
請求項２０に記載の装置であって、少なくとも一つのデータ記憶装置は呼リスト、不履行呼リストおよび電話帳の少なくとも一つを含む装置。
【請求項２５】
数字とワイルドカードの列を受信するステップと、
装置内に格納されたあらゆる番号を検索して数字とワイルドカードの列に合致するあらゆる格納された番号を含む整合リストを形成するステップであって、各ワイルドカードはプレースホルダであり数字とワイルドカードの列内の各ワイルドカードの位置に対応する格納された番号内の任意の数字に合致するステップと、
を含む方法を実施するコンピュータ実行可能命令を有するコンピュータ読取可能媒体。
【請求項２６】
さらに、整合リストを表示するステップを含む、請求項２５記載の方法を実施するコンピュータ実行可能命令を有するコンピュータ読取可能媒体。
【請求項２７】
さらに、数字とワイルドカードの列に合致するあらゆる格納された番号を表示する前にインテリジェント前整合を実施するステップを含む、請求項２６に記載の方法を実施するコンピュータ実行可能命令を有するコンピュータ読取可能媒体。
【国際調査報告】
2005539310.tif 000007
2005539310.tif 000008
2005539310.tif 000009